(57)【要約】【課題】  十分なシール強度を有し、容易に開封することができるプルタブ付き成形容器を提供する。【解決手段】  射出成形された容器本体１２の開口部の周縁部に設けられたフランジ部１６と、フランジ部１６に形成され外側に突出するプルタブ２０と、プルタブ２０の基端部に形成された薄肉部２２と、フランジ部１６とプルタブ２０に取り付けられ容器本体１２の開口部の周縁部を塞いで接着される蓋材を有する。プルタブ２０を引き上げることにより蓋材がフランジ部１６から剥離され、プルタブ２０は薄肉部２２で引き裂かれて容器本体１２から分離する。薄肉部２２の断面形状は、プルタブ２０側と容器本体１２側のうちの一方の側が薄く形成され、薄い部分の角部はエッジ状に形成され、厚い部分の角部はＲ状に形成されている。【選択図】        図２
2005047599.tif 000002
【特許請求の範囲】
【請求項１】
射出成形された容器本体の開口部の周縁部に設けられたフランジ部と、上記フランジ部に形成され外側に突出するプルタブと、上記プルタブの基端部に形成された薄肉部と、上記フランジ部と上記プルタブに取り付けられ上記容器本体の開口部の周縁部を塞いで接着される蓋材が設けられ、上記プルタブを引き上げることにより上記蓋材が上記フランジ部から剥離され、上記プルタブは上記薄肉部で引き裂かれて上記容器本体から分離し、上記蓋材が開封されることを特徴とするプルタブ付き成形容器。
【請求項２】
上記薄肉部の断面形状は、上記プルタブ側と上記容器本体側のうちの一方の側が薄く形成され、薄い部分の角部はエッジ状に形成され、厚い部分の角部はＲ状に形成されたことを特徴とする請求項１記載のプルタブ付き成形容器。
【請求項３】
上記薄肉部の一部に、上記薄肉部を破断するときの切り裂きの始点部となる突起状の角部が形成されていることを特徴とする請求項１又は２記載のプルタブ付き成形容器。
【請求項４】
上記薄肉部は、上記プルタブの突出方向に対して任意の角度で交差する方向に設けられていることを特徴とする請求項１又は２記載のプルタブ付き成形容器。
【請求項５】
上記薄肉部は、上記プルタブの突出方向に角部が向くＶ字形、または上記プルタブの突出方向と反対側に角部が向くＶ字形に形成されていることを特徴とする請求項１，２又は４記載のプルタブ付き成形容器。
【請求項６】
上記薄肉部の、上記プルタブの突出方向に対する角度は略直角であることを特徴とする請求項４記載のプルタブ付き成形容器。
【請求項７】
上記薄肉部の一部に、上記薄肉部を破断するときの切り裂きの始点端部となる極薄部が形成されていることを特徴とする請求項１記載のプルタブ付き成形容器。
【請求項８】
上記フランジ部の上記プルタブの両側部には、上記フランジ部の周縁部から上記プルタブの先端付近に連続する張り出し部が形成されていることを特徴とする請求項１記載のプルタブ付き成形容器。
【請求項９】
上記張り出し部は、上記フランジ部および上記プルタブよりも上記フランジ部の厚み方向に、上記蓋材から離れるように一段下がって設けられていることを特徴とする請求項８記載のプルタブ付き成形容器。
【請求項１０】
射出成形された容器本体の開口部の周縁部に設けられたフランジ部と、上記フランジ部に形成され外側に突出するプルタブと、上記プルタブの基端部に形成された溝部と、上記フランジ部と上記プルタブに取り付けられ上記容器本体の開口部の周縁部を塞いで接着される蓋材が設けられ、上記プルタブを引き上げることにより上記蓋材が上記フランジ部から剥離され、上記プルタブは上記溝部で折られて上記容器本体から分離し、上記蓋材が開封されることを特徴とするプルタブ付き成形容器。
【請求項１１】
射出成形された容器本体の開口部の周縁部に一定幅で設けられたフランジ部と、上記容器本体の開口部の周縁部を塞いで接着される蓋材と、上記蓋材の周縁部に形成され上記フランジ部から側方に突出する摘み部が設けられ、上記摘み部には、上記容器本体とは別体の板状のプルタブが接着されて設けられ、上記プルタブを引き上げることにより上記蓋材が上記フランジ部から剥離されて上記蓋材が開封されることを特徴とするプルタブ付き成形容器。
【請求項１２】
上記プルタブの裏面には、滑り止め用の凹凸部が設けられていることを特徴とする請求項１ないし１１の何れかに記載のプルタブ付き成形容器。
【発明の詳細な説明】
【技術分野】
【０００１】
茶碗蒸や冷菓など水分を多く含む柔軟な食品や、その他の収容物を収容するプルタブ付き成形容器に関する。
【背景技術】
【０００２】
茶碗蒸など、水分を多く含む柔軟な食品を包装する成形容器は、カップ状の容器本体と、容器本体の開口部の周縁部にヒートシール等により密着した蓋材とから成る。容器本体は、一般にシート状の熱可塑性樹脂による熱成形などで作られている。容器本体の開口部の周縁部には、蓋材が取り付けられるフランジ部が設けられ、蓋材の形状は、フランジ部の外形とほぼ同じに形成されている。また、蓋材の一部にフランジ部の外側に突出する舌片状の摘み部が設けられたものもある。このような成形容器の使用方法は、まず容器本体に内容物を入れ、そのあとフランジ部に蓋材を押し付けてヒートシールにより接着する。開封するときは、容器本体のフランジ部から突出する蓋材の摘み部を持ち、引き起こして、蓋材をフランジ部から剥がして開封する。
【特許文献１】特開昭６３−４４４７３号公報
【特許文献２】特開昭６３−９６０７４号公報
【特許文献３】特表平４−５０２２９９号公報
【発明の開示】
【発明が解決しようとする課題】
【０００３】
従来の成形容器は、開封するとき薄いシート状の蓋材で作られた小さい摘み部を滑らないように保持して強い力で容器本体から剥がさなければならず、力の弱い人や手が不自由な人には開封しずらかった。一方、開封が容易な程度に蓋材の接着力を弱くすると、不用意に剥がれたり水密性気密性が低下する等の問題がある。
【０００４】
この発明は、上記課題に鑑みてなされたものであり、十分なシール強度を有し、容易に開封することができるプルタブ付き成形容器を提供することを目的とする。
【課題を解決するための手段】
【０００５】
この発明は、射出成形された容器本体の開口部の周縁部に設けられたフランジ部と、上記フランジ部に形成され外側に突出するプルタブと、上記プルタブの基端部に形成された薄肉部と、上記フランジ部と上記プルタブに取り付けられ上記容器本体の開口部の周縁部を塞いで接着される蓋材が設けられ、上記プルタブを引き上げることにより上記蓋材が上記フランジ部から剥離され、上記プルタブは上記薄肉部で引き裂かれて上記容器本体から分離し、上記蓋材が開封されるプルタブ付き成形容器である。
【０００６】
上記薄肉部の断面形状は、上記プルタブ側と上記容器本体側のうちの一方の側が薄く形成され、薄い部分の角部はエッジ状に形成され、厚い部分の角部はＲ状に形成されたものである。
【０００７】
上記薄肉部の一部に、上記薄肉部を破断するときの切り裂きの始点部となる突起状の角部が形成されているものである。上記薄肉部は、上記プルタブの突出方向に対して任意の角度で交差する方向に設けられている。また、上記薄肉部は、上記プルタブの突出方向に角部が向くＶ字形、または上記プルタブの突出方向と反対側に角部が向くＶ字形に形成されている。さらに、上記薄肉部の、上記プルタブの突出方向に対する角度は略直角であっても良い。また、上記薄肉部の一部に、上記薄肉部を破断するときの切り裂きの始点端部となる極薄部が形成されていても良い。
【０００８】
上記フランジ部の上記プルタブの両側部には、上記フランジ部の周縁部から上記プルタブの先端付近に連続する張り出し部が形成されている。上記張り出し部は、上記フランジ部および上記プルタブよりも上記フランジ部の厚み方向に、上記蓋材から離れるように一段下がって設けられている。また、上記プルタブの裏面には、滑り止め用の凹凸部が設けられていると良い。
【０００９】
またこの発明は、射出成形された容器本体の開口部の周縁部に設けられたフランジ部と、上記フランジ部に形成され外側に突出するプルタブと、上記プルタブの基端部に形成された溝部と、上記フランジ部と上記プルタブに取り付けられ上記容器本体の開口部の周縁部を塞いで接着される蓋材が設けられ、上記プルタブを引き上げることにより上記蓋材が上記フランジ部から剥離され、上記プルタブは上記溝部で折られて上記容器本体から分離し、上記蓋材が開封されるプルタブ付き成形容器である。
【００１０】
またこの発明は、射出成形された容器本体の開口部の周縁部に一定幅で設けられたフランジ部と、上記容器本体の開口部の周縁部を塞いで接着される蓋材と、上記蓋材の周縁部に形成され上記フランジ部から側方に突出する摘み部が設けられ、上記摘み部には、上記容器本体とは別体の板状のプルタブが接着されて設けられ、上記プルタブを引き上げることにより上記蓋材が上記フランジ部から剥離されて上記蓋材が開封されるプルタブ付き成形容器である。
【発明の効果】
【００１１】
本発明のプルタブ付き成形容器は、蓋材の貼付は充分な強度を有するとともに、容易に開封することができる。容器本体は射出成形により複雑な形状も簡単に作ることができ、プルタブの破断方法や滑り止めの凹凸部など自由に設計することができる。さらに、プルタブの形状も自由に設定することができる。
【発明を実施するための最良の形態】
【００１２】
以下、この発明の実施形態について図面に基づいて説明する。図１から図４はこの発明の第一実施形態を示すものであり、この実施形態のプルタブ付き成形容器１０は、射出成形された有底筒状の容器本体１２を有し、容器本体１２の外側下方には円筒状の脚部１４が一体に設けられている。容器本体１２の開口部の周縁部１２ａには、フランジ部１６が一周して設けられている。フランジ部１６の上面には、上方にわずかに膨出する盛り上り部１８が一周して設けられている。
【００１３】
フランジ部１６の一部には、プルタブ２０が一体に設けられている。プルタブ２０は、フランジ部１６の盛り上り部１８の外周部１８aに隣接し、一定幅でフランジ部１６の半径方向に延出している。プルタブ２０は、その中間部でプルタブ２０の延出方向に対して直角方向に両側へ広がり、先端に角部が位置する三角形形に形成されている。
【００１４】
プルタブ２０の基端部は、フランジ部１６の延出部１６ａに挟まれており、この延出部１６ａに対して凹んだ位置であって、フランジ部１６の盛り上り部１８の外周部１８aに隣接する部分には、フランジ部１６の接線方向に、薄肉部２２が形成されている。薄肉部２２は、図４に示すように、プルタブ２０の下側面２０aに形成された溝状の凹部２４によって設けられている。凹部２４の断面形状は、フランジ部１６側の内壁部２４aと底部２４ｂとの角部がほぼ直角に交差したエッジ状に形成されている。凹部２４の、プルタブ２０先端側の内壁部２４ｃは、凹部２４の底部２４bから離れるに従いなだらかにＲ状にプルタブ２０の下側面２０aに近づいて深さが浅くなり、下側面２０ａに連続する付近もわずかにＲ状に膨出している。プルタブ２０の三角形の部分には、下側面２０ａに、滑り止め用の線状の突部２６が、３本、プルタブ２０の突出方向に対して直角に並べられて設けられている。
【００１５】
この実施形態のプルタブ付き成形容器１０の使用方法は、容器本体１２に茶碗蒸など水分が多い食品を入れ、図示しない蓋材をフランジ部１６とプルタブ２０上側面２０ｂにヒートシールにより接着し密閉する。プルタブ付き成形容器１０を開封するときは、プルタブ２０を引き上げて薄肉部２２を引き裂き、容器本体１２からプルタブ２０を分離し、蓋材とともにプルタブ２０を引き起こして、容器本体１２から蓋材を剥がして開封する。
【００１６】
この実施形態のプルタブ付き成形容器１０によれば、容器本体１２とプルタブ２０が一体成形され、部品点数が少なく製造工程が簡単である。特に、射出成形で一体成形が可能であり、後加工の必要もなく、作業効率が良好である。また、プルタブ２０を確実に保持して簡単に蓋材を開封することができ、十分なシール強度を有して包装されたものも容易に開けることができる。また、薄肉部２２は、フランジ部１６の延出部１６ａ凹んでいるため、薄肉部２２の切断面に手等が触れにくく、安全である。
【００１７】
なお、この実施形態のプルタブ付き成形容器１０は、例えば図５に示すように、薄肉部２２の一部に、切り裂きの始点部となる突起状の角部が形成されていてもよい。この薄肉部２７の形状は、薄肉部２７の中心付近が、プルタブ２０の先端側に角部が向くＶ字形に形成されている。
【００１８】
さらに、この実施形態のプルタブ付き成形容器１０は、例えば、図６に示すように、フランジ部１６のプルタブ２０の両側に、フランジ部１６の周縁部からプルタブ２０の先端付近に連続する張り出し部２８が形成されていてもよい。このプルタブ２０は、プルタブ２０の突出方向に対して平行な２側縁部と、先端の角部を形成する２辺を有する五角形状に形成されている。張り出し部２８は、フランジ部１６の周縁部からプルタブ２０に近づくにつれて容器本体１２から離れる方向へ広がる。そしてプルタブ２０に所定間隔空けて隣接する部分は、プルタブ２０先端の角部を形成する２辺のほぼ延長上に位置している。張り出し部２８により、フランジ部１６とプルタブ２０との隙間が、プルタブ２０先端付近に位置し、その隙間はプルタブ２０の突出方向に向いている。このため、製造ラインにおいて容器本体１２の位置決め部材がフランジ部１６とプルタブ２０との隙間に引っかかり難くなり、スムーズに歩留まり良く製造することができる。
【００１９】
また、この実施形態のプルタブ付き成形容器１０は、薄肉部が上記プルタブ２０の突出方向に対して任意の角度で交差する方向に設けられていてもよい。例えば、図７に示すように、薄肉部３０全体は、プルタブ２０の突出方向に角部が向くＶ字形に形成されている。または図８に示すように、薄肉部３０全体は、プルタブ２０の突出方向と反対側に角部が向くV字形に形成されていてもよい。この実施形態においても、図６のプルタブ付き成形容器１０と同様に、張り出し部２８が形成されていると良い。
【００２０】
さらに、張り出し部２８は、図９に示すように、フランジ部１６の周縁部およびプルタブ２０よりもフランジ部１６の厚み方向に、蓋材から離れるように段部３２により一段下がって設けられてもよい。これにより、内容物の充填時や蓋材の貼付時に張り出し部２８に溢れた内容物を洗浄しやすく、内容物が付着して残ることがなく、衛生的である。
【００２１】
また、この実施形態のプルタブ付き成形容器１０は、図１０に示すように、プルタブ２０の基端部は、スリット３４でフランジ部１６と分離され、プルタブ２０の突出方向に対して略直角であるプルタブ２０の基端部寄りの両側に、細い薄肉部３６が設けられ、一対の薄肉部３６を介してフランジ部１６に連結されている。この実施形態によっても、薄肉部３４を切り裂くことによりプルタブ２０がフランジ部１６から分離され、開封される。
【００２２】
次に、この発明の第二実施形態について説明する。ここで上記実施の形態と同一の部材は、同一の符号を付して説明を省略する。図１１、図１２はこの発明の第二実施形態を示すものであり、この実施形態のプルタブ付き成形容器３８は、射出成形された有底筒状の容器本体１２を有し、容器本体１２の外側下方には円筒状の脚部１４が一体に設けられている。容器本体１２の開口部の周縁部１２ａには、フランジ部１６が一周して設けられている。フランジ部１６の上面には、上方にわずかに膨出する盛り上り部１８が一周して設けられている。
【００２３】
フランジ部１６の周縁部の一部には、半円形のプルタブ４０が側方に突出して設けられている。プルタブ４０の基端部には、プルタブ４０の突出方向に対してほぼ直角に位置する溝部４２が形成されている。溝部４２の断面形状はＶ字状である。プルタブ４０の下側面４０ａには、滑り止め用の線状の突部４４が、３本、プルタブ４０の突出方向に対してほぼ直角に並べられて設けられている。
【００２４】
この実施形態のプルタブ付き成形容器３８の使用方法は、容器本体１２に茶碗蒸など水分が多い食品を入れ、図示しない蓋材をフランジ部１６とプルタブ４０上側面４０ｂに接着し密閉する。プルタブ付き成形容器３８を開封するときは、プルタブ４０を曲げて溝部４２で折り、容器本体１２から分離し、蓋材とともにプルタブ４０を引き起こして、容器本体１２から蓋材を剥がして開封する。
【００２５】
この実施形態のプルタブ付き成形容器３８によれば、上記実施形態と同様の効果を有し、厚みを有するフランジ部１６に設けられた丈夫なプルタブ４０でも、溝部４２から容易に折って開封することができる。
【００２６】
次に、この発明の第三実施形態について説明する。ここで上記実施の形態と同一の部材は、同一の符号を付して説明を省略する。図１３、図１４はこの発明の第三実施形態を示すものであり、この実施形態のプルタブ付き成形容器４６は、射出成形された有底筒状の容器本体１２を有し、容器本体１２の外側下方には円筒状の脚部１４が一体に設けられている。容器本体１２の開口部の周縁部１２ａには、一定幅のフランジ部１６が一周して設けられている。フランジ部１６の上面には、上方にわずかに膨出する盛り上り部１８が一周して設けられている。
【００２７】
容器本体１２にはそれと別体の、鈍角の二等辺三角状のプルタブ４８が設けられている。プルタブ４８の下側面４８ａには、滑り止め用の線状の突部５０が、３本、プルタブ４８の長い辺に対してほぼ平行に並べられて設けられている。
【００２８】
プルタブ４８の長い辺が、容器本体１２のフランジ部１６の周縁部に沿うように、所定間隔離れて位置している。容器本体１２のフランジ部１６と、所定間隔離れたプルタブ４８の上側面４８ｂは、蓋材５２に貼付されている。蓋材５２の形状は、容器本体１２のフランジ部１６を覆う円形に形成され、プルタブ４８に対面する部分には、フランジ部１６から側方に突出しプルタブ４８を覆う舌辺状の摘み部５４が設けられている。
【００２９】
この実施形態のプルタブ付き成形容器４６の使用方法は、プルタブ４８と容器本体１２は別々に成形し、充填ラインでプルタブ４８を容器本体１２のフランジ部１６横にセットして、蓋材５２に接着してプルタブ４８と容器本体１２を連結する。このプルタブ付き成形容器４６を開封するときは、プルタブ４８を保持して蓋材５２とともに引き起こして、容器本体１２から蓋材５２を剥がして開封する。
【００３０】
この実施形態のプルタブ付き成形容器４６によれば、開封時にプルタブ４８を容器本体１２から切離す必要がない。そして切断面がないので、とがった部分が発生せず、安全である。また、容器本体１２は一定幅のフランジ部１６が一周する円形であり、方向性がないため、製造ラインで容器本体１２の位置決めが不要である。
【００３１】
なお、この発明のプルタブ付き成形容器は、上記各実施の形態に限定されるものではなく、必要に応じて適宜変更可能であり、例えばプルタブの形状、滑り止め用の凹凸の形状や数など、自由に変更可能である。内容物は、水分が多い食品に限らず、いろいろな食品やその他の収容物を収容する容器として使用することができる。また、容器本体や蓋材の材質は適宜設定可能である。
【図面の簡単な説明】
【００３２】
【図１】この発明の第一実施形態のプルタブ付き成形容器の斜視図である。
【図２】この実施形態のプルタブ付き成形容器の底面図である。
【図３】この実施形態のプルタブ付き成形容器の部分破断正面図である。
【図４】この実施形態のプルタブ付き成形容器の薄肉部の拡大縦断面図である。
【図５】この実施形態のプルタブ付き成形容器の変形例を示す底面図である。
【図６】この実施形態のプルタブ付き成形容器の変形例を示す底面図である。
【図７】この実施形態のプルタブ付き成形容器の変形例を示す底面図である。
【図８】この実施形態のプルタブ付き成形容器の変形例を示す底面図である。
【図９】この実施形態のプルタブ付き成形容器の変形例を示す底面図である。
【図１０】この実施形態のプルタブ付き成形容器の変形例を示す底面図である。
【図１１】この発明の第二実施形態のプルタブ付き成形容器の底面図である。
【図１２】この実施形態のプルタブ付き成形容器の部分破断正面図である。
【図１３】この発明の第三実施形態のプルタブ付き成形容器の底面図である。
【図１４】この実施形態のプルタブ付き成形容器の部分破断正面図である。
【符号の説明】
【００３３】
１０  プルタブ付き成形容器
１２  容器本体
１４  脚部
１６  フランジ部
１８  盛り上り部
２０  プルタブ
２２  薄肉部
２４  凹部
２６  突部
【図１】
2005047599.tif 000003
【図２】
2005047599.tif 000004
【図３】
2005047599.tif 000005
【図４】
2005047599.tif 000006
【図５】
2005047599.tif 000007
【図６】
2005047599.tif 000008
【図７】
2005047599.tif 000009
【図８】
2005047599.tif 000010
【図９】
2005047599.tif 000011
【図１０】
2005047599.tif 000012
【図１１】
2005047599.tif 000013
【図１２】
2005047599.tif 000014
【図１３】
2005047599.tif 000015
【図１４】
2005047599.tif 000016